(57)【要約】【課題】  第１筒状体と、第１筒状体の軸方向端部を被覆するよう装着される第２筒状体との間の防水性をより確実なものとすることにある。【解決手段】  この防水用取付具２１は、第１折曲部１３と、第２折曲部１５と、円弧状部１７と、押さえ部１９とを備えている。円弧状部１７は、第１及び第２折曲部１３，１５の間に延び、円弧状に加工されてなる。押さえ部１９は、第１折曲部１３から円弧状部１７と逆側に延びる。そして、第１及び第２折曲部１３，１５は、隣接する２つの孔１１ａが重なるとともに円弧状部１７に対し外周側に突出して配置されるよう折り返されてなる。第２折曲部１５は、第１折曲部１３と所定の周方向隙間Ｇを介して対向して配置される。押さえ部１７は、所定の周方向隙間Ｇより長い周方向長さを有している。【選択図】      図７
0003113396.tif 000002
【実用新案登録請求の範囲】
【請求項１】
第１筒状体と、前記第１筒状体の軸方向端部を被覆するよう装着されかつ弾性を有する第２筒状体との間の防水性を確保するための防水用取付具に用いられる防水用取付具素材であって、
複数の孔が長手方向に並べて設けられるとともに、任意の長手方向位置で折り曲げ可能であり、円弧状に加工可能な帯状部材で構成される、
防水用取付具素材。
【請求項２】
前記複数の孔は、前記一方向に等間隔に並んで配置されている、請求項１に記載の防水用取付具素材。
【請求項３】
請求項１または２に記載の防水用取付具素材の一方側において形成された第１折曲部と、
前記防水用取付具素材の他方側において形成された第２折曲部と、
前記第１及び第２折曲部の間に延び、円弧状に加工されてなる円弧状部と、
前記第１折曲部から前記円弧状部と逆側に延びる押さえ部とを備え、
前記第１折曲部は、隣接する２つの孔が重なるとともに前記円弧状部の周方向に対し突出して配置されるよう折り返されてなり、
前記第２折曲部は、少なくとも１つの孔が前記円弧状部の周方向に対し突出して配置されるよう折り返されてなるとともに、前記第１折曲部と所定の周方向隙間を介して対向して配置され、
前記押さえ部は、前記所定の周方向隙間より長い周方向長さを有している、
防水用取付具。
【請求項４】
第１筒状体と、前記第１筒状体の軸方向端部を被覆するよう装着されかつ弾性を有する第２筒状体との間の防水性を確保するとともに、両端部にそれぞれ孔を有しかつ前記孔が周方向に対し突出して配置されるよう折り返されてなる略Ｃ字形状の取付具と共に用いられる防水用取付部材であって、
前記取付具の両端部がそれぞれ挿通可能な２つの挿通孔を有し、前記第２筒状体に沿って変形可能な板状部材で構成される、
防水用取付部材。
【考案の詳細な説明】
【技術分野】
【０００１】
本考案は、防水用取付具素材、特に、第１筒状体と、前記第１筒状体の軸方向端部を被覆するよう装着されかつ弾性を有する第２筒状体との間の防水性を確保するための防水用取付具に用いられる防水用取付具素材に関する。
また、本考案は、そのような防水用取付具素材を用いた防水用取付具に関する。
【０００２】
さらに、本考案は、防水用取付部材、特に、第１筒状体と、前記第１筒状体の軸方向端部を被覆するよう装着されかつ弾性を有する第２筒状体との間の防水性を確保するとともに、両端部にそれぞれ孔を有しかつ前記孔が周方向に対し突出して配置されるよう折り返されてなる略Ｃ字形状の取付具と共に用いられる防水用取付部材に関する。
【背景技術】
【０００３】
例えば、水道の蛇口の先端部にゴムホースを装着する場合に、蛇口とゴムホースとの間の防水性を高めるための技術として、蛇口に装着されたゴムホースの外周部に、金属製のバンド（取付具）を外周側から取り付け、バンドを締め付ける技術が知られている。このようなバンドとしては、ネジ式のもの、クリップ式のもの等が挙げられる。
【０００４】
このうちネジ式のバンドは、図１に示すように、バンド１の両端部１ａ，１ｂが、それぞれ孔を有しかつ周方向に突出するよう折り返されてなり、さらに互いに所定の隙間を介して配置されるよう、全体として円弧状に加工されている。
【０００５】
このバンド１を使用する場合は、ゴムホースに取り付けられた後、両端部１ａ，１ｂの２つの孔にネジ７等の締め付け具を挿通させ、締め付けることで、バンド１全体を縮径させ、ゴムホースを蛇口に密着させる。これにより、蛇口とホースとの間の止水性及び防水性を上げることができる。
【考案の開示】
【考案が解決しようとする課題】
【０００６】
上記従来のネジ式のバンド１において、ネジ３による締め付け力が強すぎるなどした場合、例えば、ゴムホース５３が、図２に示すように、バンド１の両端部１ａ，１ｂの間の隙間に逃げるように外周側に撓み、この結果、蛇口５１とゴムホース５３との間に隙間が生じ、水が漏れてしまう場合がある。
【０００７】
特に、かかる従来のバンドでは、日本電機工業会により規格化されたＩＰ表において、ＩＰ４（直径１．０ｍｍ以上のワイヤーや固形物体が内部に進入しないことを要件とする等級）の規格が適用されず、例えば水中で用いられる照明器具のような高度の防水性用途としては用いることができない。
【０００８】
本考案の目的は、第１筒状体と、第１筒状体の軸方向端部を被覆するよう装着される第２筒状体との間の防水性をより確実なものとすることにある。
【課題を解決するための手段】
【０００９】
請求項１に係る防水用取付具素材は、第１筒状体と、第１筒状体の軸方向端部を被覆するよう装着されかつ弾性を有する第２筒状体との間の防水性を確保するための防水用取付具に用いられる防水用取付具素材であって、複数の孔が長手方向に並べて設けられるとともに、任意の長手方向位置で折り曲げ可能であり、円弧状に加工可能な帯状部材で構成される。
【００１０】
この取付具素材を用いれば、例えば、請求項３のような防水用取付具を作成することができる。そして、そのような取付具を用いれば、第１筒状体に装着された第２筒状体に対し、後述するように全周方向に締め付け力を加えることができ、２つの筒状体の間の防水性をより確実にすることができる。
【００１１】
また、この取付具素材は、予め長めに用意しておくとともに第２筒状体の外周長さに応じて裁断することで、あらゆる外周長さの第２筒状体への取り付けにも適用できる。
なお、本考案において、第１筒状体としては、例えば、水道の蛇口のような金属製の筒状部分が挙げられる。また、筒状体としては、例えば、ゴムホースが挙げられる。さらに、筒状体としては、円筒形のものに限定されず、多角柱等、他の形状のものも含まれる。
【００１２】
請求項２に係る防水用取付具素材は、請求項１の取付具において、複数の孔は、一方向に等間隔に並んで配置されている。
この取付具素材では、複数の孔が等間隔に並んでいるので、請求項３のような防水用取付具を作成する際に、折り曲げ位置を決めたり所望の長さに裁断したりする作業を容易に行うことができる。
【００１３】
請求項３に係る防水用取付具は、第１折曲部と、第２折曲部と、円弧状部と、押さえ部とを備えている。第１折曲部は、請求項１または２に記載の防水用取付具素材の一方側において形成された部分である。第２折曲部は、防水用取付具素材の他方側において形成されている。円弧状部は、第１及び第２折曲部の間に延び、円弧状に加工されてなる。押さえ部は、第１折曲部から円弧状部と逆側に延びる。そして、第１折曲部は、隣接する２つの孔が重なるとともに円弧状部の周方向に対し突出して配置されるよう折り返されてなる。第２折曲部は、少なくとも１つの孔が円弧状部の周方向に対し突出して配置されるよう折り返されてなるとともに、第１折曲部と所定の周方向隙間を介して対向して配置される。押さえ部は、所定の周方向隙間より長い周方向長さを有している。
【００１４】
この取付具を、第１筒状体に装着された第２筒状体に取り付ける場合は、ネジ等の締め付け具を２つの折曲部の孔に挿通し、２つの折曲部が互いに接近するよう締め付ける。すると、円弧状部が縮径して、第２筒状体が第１筒状体に対しより強く締め付けられる。このとき、押さえ部の端部が第２折曲部の内周側に配置され、円弧状部と共に１つの円弧を形成するので、第２筒状体に対する締め付け力が全周方向に加わわる。したがって、この取付具によれば、第２筒状体が外周側に膨らもうとするのが抑えられ、２つの筒状体の間においてより確実な防水性が得られる。
なお、周方向に対し突出して配置されとは、例えば、円弧状部が延びる方向（周方向）に対し直交する方向（径方向）に突出して配置される場合が挙げられる。
【００１５】
請求項４に係る防水用取付部材は、第１筒状体と、第１筒状体の軸方向端部を被覆するよう装着されかつ弾性を有する第２筒状体との間の防水性を確保するとともに、両端部にそれぞれ孔を有しかつ孔が周方向に対し突出して配置されるよう折り返されてなる略Ｃ字（ＦＡＸ送信時に文字が潰れたようですが、これは「宇」ではなく「字」です。）形状の取付具と共に用いられる取付部材であって、取付具の両端部がそれぞれ挿通可能な２つの挿通孔を有し、第２筒状体に沿って変形可能な板状部材で構成される。
【００１６】
この取付部材では、従来の取付具を用いて請求項３の防水用取付具と同様の効果を得ることができる。すなわち、従来の取付具の両端部を、この取付部材の２つの挿通孔にそれぞれ通すとともに、ネジ等の締め付け具を取付具の両端部の孔に挿通し、取付具の両端部が互いに接近するよう締め付ける。すると、両端部の間に延びるＣ字状部分が縮径して、第２筒状体が第１筒状体に対しより強く締め付けられる。このとき、この取付部材が第２折曲部の内周側に配置され、取付具の円弧状部分と共に１つの円弧を形成するので、第２筒状体に対する締め付け力が全周方向に加わわる。したがって、この取付部材によれば、第２筒状体が外周側に膨らもうとするのが抑えられ、２つの筒状体の間においてより確実な防水性が得られる。
【考案の効果】
【００１７】
本考案によれば、取付具の押さえ部又は取付部材の端部が第２折曲部の内周側に配置され、円弧状部と共に１つの円弧を形成するので、第２筒状体に対する締め付け力が全周方向に加わわる。したがって、第２筒状体が外周側に膨らもうとするのが抑えられ、２つの筒状体の間においてより確実な防水性が得られる。
【考案を実施するための最良の形態】
【００１８】
＜防水用取付具素材＞
図３及び図４に、本考案の一実施形態が採用された防水用取付具素材１１を示す。
取付具素材１１は、後述する防水用取付具２１（図５乃至図７参照）を作成するために用いられる。取付具２１は、図６に示すように、蛇口５１（第１筒状体）の先端部５１ａと、蛇口５１の先端部５１ａを被覆するよう装着されるゴムホース５３（第２筒状体）との間の防水性を確保するためのものである。
【００１９】
取付具素材１１は、金属製の帯状部材であり、複数の孔１１ａが長手方向に等間隔に設けられている。取付具素材１１は、任意の長手方向位置で折り曲げ可能であるとともに、円弧状に加工可能でもある。
【００２０】
この取付具素材１１から取付具２１を作成する場合は、予め、取付対象であるゴムホース５３の外径等を考慮して適当な長さとなるよう、ここでは、素材ロール７１から所定長さ分だけ引き出されて適切な長手方向位置Ｈで裁断される。そして、一点鎖線Ｂ，Ｅ，Ｆにおいて山折り加工し、他の一点鎖線Ａ，Ｃ，Ｄにおいて谷折り加工することにより、図４に示すような第１及び第２折曲部１３，１５を形成する。なお、ここでの一点鎖線Ｃ，Ｄ間の長さは、ここでは、ゴムホース５３の外周長さからボルト５５（後述）の締め付け有効長さだけ引いた長さである。締め付け有効長さとは、ボルト５５に装着されたナット５７（後述）がボルト５５に対して可動となる最大軸方向長さをいい、ボルト５５の頭部とナット５７のボルト５５頭部側の端部との間の距離で表される。
【００２１】
以上の作業において、一点鎖線Ａ乃至Ｃの位置は、第１折曲部１３の外側に、所定隙間Ｇ（図５参照）より長い長さを有する押さえ部１９が形成されるよう決定される。そして、２つの折曲部１３，１５の間の部分は、円弧状に曲げ加工が施されて、円弧状部１７が形成される。
＜防水用取付具＞
図５乃至図７に、本考案の一実施形態が採用された防水用取付具２１を示す。
取付具２１は、取付具素材１１から上述のようにして作成され、第１折曲部１３と、第２折曲部１５と、円弧状部１７と、押さえ部１９とを備えている。
【００２２】
第１折曲部１３は、隣接する２つの孔１１ａが重なるよう図３の一点鎖線Ａの位置において山折り加工されとともに、これらの孔１１ａが円弧状部１７及び押さえ部１９に対し外周側に突出した位置に配置されるよう、一点鎖線Ａ，Ｃにおいて谷折り加工されてなる。
【００２３】
第２折曲部１５は、第１折曲部１３と同様に、隣接する２つの孔１１ａが重なるよう一点鎖線Ｅの位置で山折り加工されるとともに、これら孔１１ａが円弧状部１７に対し外周側に突出して配置されるよう、一点鎖線Ｄにおいて谷折り加工されてなる。なお、第２折曲部１５は、一点鎖線Ｆにおいて山折り加工されることで、先端部が円弧状部１７の内周側に配置されている。また、第２折曲部１５は、円弧状部１７と連結された第１折曲部
１３に対し、所定の周方向隙間Ｇを介して対向して配置される。
【００２４】
円弧状部１７は、第１及び第２折曲部１３，１５の間に延び、ゴムホース５３の外径に応じて円弧状に加工されてなる断面Ｃ字形状の部分である。
押さえ部１９は、第１折曲部１３の外側（円弧状部１７と逆側）に延びる部分である。押さえ部１９は、周方向隙間Ｇより長い周方向長さを有しており、自由状態では先端部１９ａが第２折曲部１５の内周側に配置される。
【００２５】
以上の取付具２１を、図６に示すようにゴムホース５３に取り付けて使用する場合は、まず、２つの折曲部１３，１５の間を広げて円弧状部１７を拡径させ、蛇口５１に既に装着されているゴムホース５３の先端部に装着する。そして、ボルト５５を各折曲部１３，１５の孔１１ａに挿通し、ボルト５５の先端部にナット５７を装着し、２つの折曲部１３，１５が互いに接近するよう締め付ける。すると、円弧状部１７が縮径して、ゴムホース５３が蛇口５１に対しより強く締め付けられるが、このとき、第２折曲部１５の内周側に押さえ部１９の先端部１９ａが配置されていることで、ゴムホース５３に対し全周方向に締め付け力を加えることができる。したがって、ゴムホース５３が外周側に膨らもうとするのが抑えられ、蛇口５１とゴムホース５３との間においてより確実な防水性が得られる。
【００２６】
特に、ここでは、日本電機工業会により規格化されたＩＰ表において、ＩＰ６（粉塵の進入が完全に防護されていることを要件とする等級）の規格をクリアできる。
【００２７】
（防水用取付具の変形例）
上記取付具２１の変形例として、他の取付具３１を図８に示す。
この取付具３１は、第２折曲部３５が取付具素材１１の一カ所において谷折り加工されてなり、その先端部が角取り加工が施されているほかは、上記取付具２１と同様に構成されている。
この取付具３１も、取付具２１と同様に使用でき、取付具２１と同様の効果を得ることができる。
【００２８】
＜防水用取付部材＞
図９及び図１０に、本考案の一実施形態が採用された防水用取付部材４１を示す。
取付部材４１は、従来の取付具６１と共に使用され、取付具２１，３１と同様に蛇口５１及びゴムホース５３の間の防水性を高めるために用いられる。
なお、ここで使用される従来の取付具６１は、その両端部６１ａ，６１ｂが、折り曲げ加工が施されて外周側に突出するとともに、それぞれに孔６３が設けられている。
【００２９】
取付部材４１は、金属製の板状部材であり、長手方向両端部において、取付具６１の端部６１ａ，６１ｂがそれぞれ挿通可能な２つの挿通孔４１ａ，４１ｂを有している。また、取付部材４１は、後述する取付動作に伴って、ゴムホース５３の外周に沿って円弧状に変形可能である。
【００３０】
この取付部材４１を、従来の取付具６１と共にゴムホース５３に取り付ける場合は、取付具６１の両端部６１ａ，６１ｂの間を広げた状態でゴムホース５３に装着し、次いで、取付部材４１の各孔４１ａ，４１ｂに、取付具６１の両端部６１ａ，６１ｂを挿通させる。そして、取付具６１の各孔６３にネジ６５を装着し、両端部６１ａ，６１ｂが互いに接近するよう締め付ける。すると、取付部材４１がゴムホース５３に沿って円弧状に変形することで、ゴムホース５３に対し全周方向に締め付け力が作用する。これにより、ゴムホース５３が外側に膨らもうとするのが抑えられ、蛇口５１及びゴムホース５３の間ににおいてより確実な防水性が得られる。
また、ここでも、上記ＩＰ６の規格をクリアすることができる。
【００３１】
＜他の実施形態＞
（ａ）本考案の防水用取付具及び防水用取付部材は、蛇口に装着されたゴムホースへの取付にのみ用いられるものではなく、他の２つの筒状体への取り付けにも用いることができる。
【００３２】
（ｂ）本考案の防水用取付具素材において、折り曲げ加工を施す長手方向位置及び裁断位置は、特に限定されるものではなく、取付対象である第２筒状体の外径等を考慮して適宜決定される。
【００３３】
（ｃ）取付具素材において、孔１１ａは、図１１に示すように、取付具素材８１の幅方向にも複数設けられて良い。かかる素材を用いれば、図１２に示すように、幅方向に２つの孔１１ａを設けた取付具９１を得ることができる。この場合、ボルト５５及びナット５７等の締め付け具は、幅方向の孔と同数だけ用いられる。
【００３４】
（ｄ）本考案は、第１及び第２筒状体が円筒形でない場合にも適用可能である。例えば、図１３に示すように、断面が長方形状の取付具１０１も本考案の範囲に含まれる。
【図面の簡単な説明】
【００３５】
【図１】従来の取付具を示す斜視図。
【図２】図１の取付具がゴムホースに装着された状態を示す断面図。
【図３】本考案の一実施形態が採用された取付具素材及び素材ロールを示す斜視図。
【図４】第１及び第２折曲部が形成された取付具素材を示す斜視図。
【図５】本考案の一実施形態が採用された取付具を示す斜視図。
【図６】図４の取付具を用いて第１及び第２筒状体を締め付けた状態を示す外観図。
【図７】図４の取付具を用いて第１及び第２筒状体を締め付けた状態を示す断面図。
【図８】前記取付具の変形例を示す斜視図。
【図９】本考案の一実施形態が採用された取付部材を示す平面図。
【図１０】図９の取付部材が従来の取付具と共用される状態を示す断面図。
【図１１】本考案の他の実施形態が採用された取付具素材を示す斜視図。
【図１２】図１１の取付具素材を用いて作成された取付具を示す斜視図。
【図１３】図１１の取付具素材を用いて作成された取付具を示す斜視図。
【符号の説明】
【００３６】
１，６１  従来の防水用取付具
１１，８１  取付具素材
１１ａ  孔
１３  第１折曲部
１５，３５  第２折曲部
１７  円弧状部
１９  押さえ部
２１，３１，９１，１０１  取付具
４１  取付部材
４１ａ，４１ｂ  挿通孔
５１  蛇口（第１筒状体）
５３  ゴムホース（第２筒状体）
Ｇ  所定の周方向隙間
【図１】
0003113396.tif 000003
【図２】
0003113396.tif 000004
【図３】
0003113396.tif 000005
【図４】
0003113396.tif 000006
【図５】
0003113396.tif 000007
【図６】
0003113396.tif 000008
【図７】
0003113396.tif 000009
【図８】
0003113396.tif 000010
【図９】
0003113396.tif 000011
【図１０】
0003113396.tif 000012
【図１１】
0003113396.tif 000013
【図１２】
0003113396.tif 000014
【図１３】
0003113396.tif 000015